(57)【要約】【課題】可動部材を初期状態で保持可能な遊技機を提供する。【解決手段】ベース部材に設けられて駆動モータ５０の駆動により回転する回転板５２と、回転板５２の回転中心から変位する位置に設けられた連繋突部５４と、ベース部材に揺動可能に支持された揺動アーム５６と、揺動アーム５６に設けられて連繋突部５４に連繋接続し、回転板５２の回転に伴って連繋突部５４が回転変位することで揺動アーム５６を揺動する連繋孔５６ｂと、揺動アーム５６に連結され、該揺動アーム５６の揺動に伴って初期位置と終位置との間を往復移動する可動部材７０とを備える。そして、可動部材７０が初期位置にある状態では、揺動アーム５６を揺動可能に支持する軸部５７を中心とした連繋突部５４および連繋孔５６ｂの連繋点Ａの回転方向Ｒ１を、回転板５２の回転に伴った連繋突部５４の回転方向Ｒ２に略直交させる。【選択図】図８
2011015756.tif 000002
【特許請求の範囲】
【請求項１】
動作により演出を行なう可動演出装置を備えた遊技機であって、
前記可動演出装置は、
駆動手段が配設されるベース部材と、
前記ベース部材に設けられて前記駆動手段の駆動により回転する回転板と、
前記回転板の回転中心から変位する位置に設けられた第１連繋部と、
前記ベース部材に揺動可能に支持された揺動アームと、
前記揺動アームに設けられて前記第１連繋部に連繋接続し、前記回転板の回転に伴って第１連繋部が回転変位することで揺動アームを揺動する第２連繋部と、
前記揺動アームに連結され、該揺動アームの揺動に伴って初期位置と終位置との間を往復移動する可動部材とを備え、
前記可動部材が初期位置にある状態では、前記揺動アームを揺動可能に支持する軸部を中心とした第１および第２連繋部の連繋点の回転方向を、前記回転板の回転に伴った第１連繋部の回転方向に略直交するよう構成した
ことを特徴とする遊技機。
【請求項２】
前記ベース部材には、前記回転板に対応する位置に開口部が開設されて、該開口部を介して回転板を回転操作し得るよう構成された請求項１記載の遊技機。
【発明の詳細な説明】
【技術分野】
【０００１】
この発明は、遊技盤の遊技領域に可動部材が設けられた遊技機に関するものである。
【背景技術】
【０００２】
代表的な遊技機であるパチンコ機においては、機内にセットされる遊技盤の盤面に形成した遊技領域の略中央位置に装飾部材が配設されて、該装飾部材に形成された開口部から液晶式やドラム式等の図柄表示装置を臨ませ、この図柄表示装置で図柄組み合わせゲームやリーチ演出等の遊技演出を行なうようになっている。このようなパチンコ機では、遊技領域(例えば装飾部材)に可動部材を設け、図柄表示装置で行なわれる図柄組み合わせゲームに合わせ該可動部材を作動することで大当り予告やリーチ予告等の補助的な演出を行ない、視覚的な演出効果を向上して遊技の興趣を高め得るよう構成されたパチンコ機が提案されている。このような可動部材は、補助演出を行なわないときには所定の初期位置に保持しておく必要があり、可動部材を駆動する駆動手段としてソレノイドやモータを用いている場合では、常時励磁して可動部材を常に初期位置に付勢保持したり、可動部材が初期位置から移動したことを検知して駆動手段を作動することで初期位置に復帰させる復帰制御を行なう等の方法が一般的に採用されている(例えば、特許文献１参照)。
【先行技術文献】
【特許文献】
【０００３】
【特許文献１】特開２００５−１１０８６２号公報
【発明の概要】
【発明が解決しようとする課題】
【０００４】
しかしながら、前述したように駆動手段を常時励磁したり、可動部材の作動時に初期位置への復帰制御を行なう方法では、制御不良や可動部材の位置検出不良等の発生によって可動部材を初期位置に保持できなくなるおそれがある。また、このような駆動手段の駆動制御による可動部材の保持方法では、補助演出を行なっていない場合でも駆動手段を制御し続ける必要があり、制御系の負荷が大きくなる難点が指摘される。更に、遊技機の運搬時等には電源供給が不能なため、駆動源を制御する保持方法では可動部材を待機位置に保持しておくことはできず、自重や振動等によって可動部材が不用意に移動して破損するおそれもある。
【０００５】
すなわち本発明は、従来の技術に係る遊技機に内在する前記課題に鑑み、これを好適に解決するべく提案されたものであって、可動部材を初期位置に保持可能な遊技機を提供することを目的とする。
【課題を解決するための手段】
【０００６】
前記課題を克服し、所期の目的を達成するため、本願の請求項１に係る遊技機は、
動作により演出を行なう可動演出装置(40)を備えた遊技機であって、
前記可動演出装置(40)は、
駆動手段(50)が配設されるベース部材(41)と、
前記ベース部材(41)に設けられて前記駆動手段(50)の駆動により回転する回転板(52)と、
前記回転板(52)の回転中心から変位する位置に設けられた第１連繋部(54)と、
前記ベース部材(41)に揺動可能に支持された揺動アーム(56)と、
前記揺動アーム(56)に設けられて前記第１連繋部(54)に連繋接続し、前記回転板(52)の回転に伴って第１連繋部(54)が回転変位することで揺動アーム(56)を揺動する第２連繋部(56b)と、
前記揺動アーム(56)に連結され、該揺動アーム(56)の揺動に伴って初期位置と終位置との間を往復移動する可動部材(70)とを備え、
前記可動部材(70)が初期位置にある状態では、前記揺動アーム(56)を揺動可能に支持する軸部を中心とした第１および第２連繋部(54,56b)の連繋点(A)の回転方向(R1)を、前記回転板(52)の回転に伴った第１連繋部(54)の回転方向(R2)に略直交するよう構成したことを要旨とする。
【０００７】
このように、 可動部材が初期位置にある状態において、揺動アームを揺動可能に支持する軸部を中心とした第１および第２連繋部の連繋点の回転方向を、回転板の回転に伴った第１連繋部の回転方向に略直交させたことで、駆動手段の駆動によって回転板を回転することなく揺動アームを揺動することは不可能となる。従って、駆動手段へ通電することなく、可動部材が自重や振動等により移動するのを防止でき、該可動部材の破損を防止し得る。可動部材を初期位置に移動するだけで、該可動部材を初期位置に保持できるから、可動部材を初期位置に停止保持するための制御負担を軽減し得ると共に、可動部材の作動時に駆動手段に大きな負荷がかかることはなく、駆動手段の負担を軽減できる。
【０００８】
請求項２に係る遊技は、前記ベース部材(41)には、前記回転板(52)に対応する位置に開口部(44)が開設されて、該開口部(44)を介して回転板(52)を回転操作し得るよう構成されたことを要旨とする。
【０００９】
このように、ベース部材に形成した開口部を介して回転板を回転操作し得るから、点検等において可動部材を作動させる場合に、駆動手段を駆動することなく作業者が回転板を操作するだけで作業でき、作業性が向上する。また、点検後には、作業者が回転板を回転させて可動部材を初期位置に復帰させれば、駆動手段の駆動によって回転板を回転することなく揺動アームを揺動することは不可能とできる。
【発明の効果】
【００１０】
本発明に係る遊技機によれば、可動部材を初期位置に保持するために駆動手段に対して特別な駆動制御を行なうことなく、可動部材を初期位置に保持できる。
【図面の簡単な説明】
【００１１】
【図１】本発明の実施例に係るパチンコ機を示す正面図である。
【図２】実施例に係るパチンコ機の遊技盤を示す正面図である。
【図３】実施例に係る遊技盤の分解斜視図である。
【図４】実施例に係る遊技盤の裏ユニットを示す正面図であって、可動部材が終位置に移動した状態を示す。
【図５】実施例に係る可動演出装置を正面から見た状態を示す分解斜視図である。
【図６】実施例に係る可動演出装置を、ベース部材を２点鎖線により示す背面図であって、可動部材が初期位置にある状態を示す。
【図７】実施例に係る可動演出装置を、ベース部材を２点鎖線により示す背面図であって、可動部材が終位置にある状態を示す。
【図８】実施例に係る可動演出装置の揺動アームの連繋孔と、回転板の連繋突部との関係を、揺動アームおよび回転板を背面側から視た状態で示した説明図であって、(a)は図６に示すように可動部材が初期位置にある状態での関係を示し、(b)は可動部材が初期位置と終位置との間に移動した状態での関係を示し、(c)は図７に示すように可動部材が終位置にある状態での関係を示す。
【発明を実施するための形態】
【００１２】
次に、本発明に係る遊技機につき、好適な実施例を挙げて、添付図面を参照しながら以下詳細に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１３】
(パチンコ機について)
実施例に係るパチンコ機１０は、図１に示すように、前後に開口する矩形枠状に形成されて遊技店の図示しない設置枠台に固定される固定枠としての外枠１１の開口前面側に、後述する遊技盤２０(図１または図２参照)を着脱可能に保持する本体枠としての中枠１２が開閉および着脱可能に組み付けられて、該遊技盤２０の裏側に対して、各種図柄を変動表示可能な図柄表示装置１７が着脱可能に配設されている。また、前記中枠１２の前面側には、前記遊技盤２０を透視保護するガラス板(図示せず)を備えた装飾枠としての前枠１３が開閉可能に組み付けられると共に、該前枠１３の下方にパチンコ球を貯留する下球受け皿１５が開閉可能に組み付けられる。なお、実施例では、前記前枠１３の下部位置に、パチンコ球を貯留する上球受け皿１４が一体的に組み付けられており、前枠１３の開閉に合わせて上球受け皿１４も一体的に開閉するよう構成される。また、前記中枠１２の右下方位置には、該中枠１２に配設された打球発射装置(図示せず)を作動する操作ハンドル１６が設けられており、該操作ハンドル１６の操作により打球発射装置が作動することで、前記上球受け皿１４に貯留されたパチンコ球が前記遊技盤２０に向けて発射されるようになっている。ここで、前記上球受け皿１４は、前記前枠１３と別体に形成して中枠１２に対して開閉可能に組み付けるようにしてもよい。
【００１４】
(遊技盤２０について)
前記中枠１２に配設される前記遊技盤２０は、図２〜図３に示すように、アクリルやポリカーボネート等の光透過性の合成樹脂材からなる平板状の透明板２１と、該透明板２１の後面に組み付けられると共に裏側に前記図柄表示装置１７が着脱可能に配設される不透明な合成樹脂材で形成された裏ユニット３５とから構成され、該裏ユニット３５に形成された前後に開口する開口部３５ａ(図３または図４参照)を介して図柄表示装置１７を前面側から視認し得るよう構成されている。ここで、裏ユニット３５に形成される開口部３５ａは、該裏ユニット３５の上下および左右幅の大部分が開口する大型の開口であって、該開口部３５ａの周囲に、各種の装飾部材３６や可動演出装置４０(後述)等が配設されている。なお、実施例の透明板２１は、アクリル樹脂により一定の厚み寸法の平板状に形成されている。ここで、前記透明板２１および裏ユニット３５は、外郭形状が略整合する大きさおよび形状に形成されて、該透明板２１と裏ユニット３５とを組み付けた状態で透明板２１の後面を裏ユニット３５で全面的に覆うよう構成され、前側から遊技盤２０(裏ユニット３５)の裏側を視認し得ないようになっている。
【００１５】
(透明板２１について)
図２または図３に示すように、前記透明板２１の前面には、外レール２２ａと内レール２２ｂとが配設されており、両レール２２ａ,２２ｂより画成される略円形の遊技領域２３内に、前記中枠１２に配設された前記打球発射装置から発射されたパチンコ球が打ち出されて、打ち出されたパチンコ球が遊技領域２３を流下することで遊技が行なわれるようになっている。なお、打球発射装置から発射されたパチンコ球は、両レール２２ａ,２２ｂに誘導されて遊技領域２３の左上部位置に打ち出されるようになっている。また、前記透明板２１には、前記裏ユニット３５に形成された開口部３５ａの前方位置に、前後に貫通する貫通口２１ａ(図３参照)が形成されており、該貫通口２１ａに対して前後に開口する枠状に形成された枠状装飾体２８が配設されている。
【００１６】
すなわち、前記裏ユニット３５の開口部３５ａから臨む前記図柄表示装置１７は、前記枠状装飾体２８の開口を介して透明板２１の前側に露出して、該図柄表示装置１７に表示される図柄変動演出や各種の表示演出をパチンコ機１０の前側から視認し得るようになっている。また透明板２１には、図３に示す如く、前記貫通口２１ａ(枠状装飾体２８の配設位置)の下方位置における透明板２１の左右方向の略中央位置に、前後に開口する装着口２１ｂが開設されており、前記遊技領域２３を流下するパチンコ球が入賞可能な始動入賞装置２４や特別入賞装置２５が、該装着口２１ｂを介して透明板２１に取り付けられている。なお、実施例では、前記始動入賞装置２４の下方に特別入賞装置２５が位置している。
【００１７】
前記始動入賞装置２４は、上方に開口する上入賞口２４ａと、該上入賞口２４ａの下方に位置する下入賞口２４ｂと、該下入賞口２４ｂを挟む左右両側に設けられ、当該下入賞口２４ｂを開閉する一対の羽根部材２４ｃ,２４ｃとを備えて、上下の入賞口２４ａ,２４ｂにパチンコ球が入賞することで、前記図柄表示装置１７において図柄変動演出が開始されるよう構成される。なお、実施例では、前記上下の入賞口２４ａ,２４ｂにパチンコ球が入賞した場合には、所定数(例えば３〜５個)のパチンコ球が賞球として前記上下の球受け皿１４,１５に払い出されるようになっている。そして、図柄変動演出の結果、図柄表示装置１７に所定の図柄組み合わせ(例えば同一図柄の三つ揃い等)で図柄が停止表示されることで所謂「大当り」が発生し、これにより特別入賞装置２５が開放されて多数の賞球を獲得する機会が遊技者に付与されると共に、前記図柄表示装置１７において所要の大当り演出が行なわれるようになっている。
【００１８】
前記特別入賞装置２５は、特別入賞口２５ａが開閉扉２５ｂにより常には閉鎖されており、前記図柄表示装置１７での図柄変動の結果「大当り」が発生した際に開閉扉２５ｂが開放して(図２参照)、特別入賞口２５ａへの入賞により多数の賞球を獲得し得るようになっている。実施例では、前記図柄表示装置１７に所定の図柄組み合わせで図柄が停止して大当りが発生すると、所定時間(例えば３０秒)の開放を１回とするラウンド遊技を複数回(例えば１５回)繰り返すよう前記特別入賞装置２５が作動制御される。
【００１９】
(枠状装飾体２８について)
図１〜図３に示すように、前記枠状装飾体２８は、前後に開口する枠状に形成されて、前記遊技盤２０(透明板２１)に開設した前記貫通口２１ａに取り付けられており、前記裏ユニット３５に配設された図柄表示装置１７が枠状装飾体２８の開口部に臨んで前側から視認し得るようになっている。そして、前記枠状装飾体２８の内周下縁部に、パチンコ球が転動するステージ２９が形成されており、該枠状装飾体２８の左側部に形成された球入口２８ａに通入したパチンコ球がステージ２９を転動して遊技領域２３に排出落下されるよう構成されている。また、図２に示すように、前記枠状装飾体２８の開口上部には、光透過性の装飾カバー３０が設けられており、前記裏ユニット３５に配設された前記可動演出装置４０に設けられたＬＥＤ基板５８(後述)のＬＥＤ５９からの光が装飾カバー３０の裏面に照射されて、当該装飾カバー３０が明輝されるようになっている。なお、前記装飾カバー３０には、ダイヤカットやローレット加工等の光拡散加工が施されているが、光拡散シートを貼付することで、装飾カバー３０に光拡散性を付与するようにしてもよい。
【００２０】
(裏ユニット３５について)
前記裏ユニット３５は、図３または図４に示すように、前記透明板２１の外郭形状と略整合する大きさおよび形状に形成されると共に前方に開口する箱枠状に形成されて、該裏ユニット３５の開口前端部を透明板２１の裏面に当接させた状態で、透明板２１と裏ユニット３５とが連結固定される。そして、前記裏ユニット３５には、前記透明板２１との間に画成される空間に、各種の装飾部材３６や可動演出装置４０が配設されている。また、前記裏ユニット３５には、略矩形状の開口部３５ａが前後に開口するよう開設されると共に、該裏ユニット３５の裏側に前記図柄表示装置１７が着脱自在に取り付けられており、該開口部３５ａを介して図柄表示装置１７が透明板２１の前側から視認し得るようになっている。なお、図柄表示装置１７としては、液晶表示装置やドラム式の表示装置、ベルト式の表示装置等の各種図柄を変動表示可能な従来公知の表示装置を用いることができる。
【００２１】
(可動演出装置４０について)
前記可動演出装置４０は、図４〜図７に示すように、前記裏ユニット３５における開口部３５ａの上部位置に取り付けられるベース部材４１と、該ベース部材４１の前面側に配設されて上下移動可能な可動部材７０と、当該ベース部材４１に設けられて可動部材７０を駆動する駆動モータ(駆動手段)５０と、可動部材７０に連繋接続すると共にベース部材４１に揺動可能に支持された揺動アーム５６と、該駆動モータ５０および揺動アーム５６を連繋接続する伝達手段５１,５２とを備え、該駆動モータ５０を駆動することで、伝達手段５１,５２を介して揺動アーム５６が揺動されて、該揺動アーム５６の揺動に伴って可動部材７０が上下方向に往復動作するよう構成されている。なお、前記ベース部材４１の前面側は、前記可動部材７０の可動領域を除く前面略全体が前記裏ユニット３５に配設された装飾部材３６で覆われている。
【００２２】
前記ベース部材４１は、後方に開口する前ケース体４２と、該前ケース体４２の後方開口を閉成する後ケース体４７とから内部に収容空間４８(図５参照)が画成された横長箱状に形成されて、前記裏ユニット３５に開設された開口部３５ａの上部に位置するよう配設される。なお、前記ベース部材４１は、透明な合成樹脂材により形成されて、該ベース部材４１の内部(すなわち収容空間４８)を前側から視認し得るよう構成されている。また、前記駆動モータ５０は、前記後ケース体４７に形成された通孔に駆動軸５０ａを後方から挿通させた状態で、後ケース体４７の後面側に取り付けられている。
【００２３】
前記ベース部材４１の前ケース体４２には、図５に示すように、前記枠状装飾体２８の装飾カバー３０の後方位置に、該前ケース体４２の上下方向の略全幅に亘って延在するスリット４３が形成されて、該スリット４３に沿って上下し得るよう取り付けられる連結支持部材６４に、前記可動部材７０が固定されている。ここで、前記連結支持部材６４は、前記前ケース体４２におけるスリット４３の前側に配置されて前記可動部材７０に固定される前部材６５と、前ケース体４２におけるスリット４３の後側に配置される後部材６６とから構成されている。そして、前記後部材６６に前方へ突出するよう形成された摺動突部６７を前記スリット４３に後方から挿通して、該摺動突部６７の前端部に前記前部材６５を固定するよう構成されている。また、前記後部材６６には、後方に突出する係合突部６６ａが突設されており、該係合突部６６ａを揺動アーム５６の係合孔５６ａに挿通するようになっている。これにより、前記揺動アーム５６の揺動動作に伴って前記連結支持部材６４(後部材６６)の摺動突部６７をスリット４３に沿って摺動させることで、前記可動部材７０が初期位置(図６参照)と終位置(図４または図７参照)の間で上下移動される。
【００２４】
ここで、前記可動部材７０の構成につき簡単に説明する。前記可動部材７０は、図５に示すように、前後に開口する略円筒状の基部７１と、該基部７１に内挿される全体が光透過性の合成樹脂材により形成された透明部材７２と、透明部材７２の前側に配設され、基部７１の前端部を覆う枠状に形成されたカバー体７３とから構成され、基部７１とカバー体７３とを組み付けることで両部材７１,７３の間に透明部材７２が挟持固定される。また、前記基部７１の上部位置には、該基部７１の開口内側に突出する支持片７１ａが形成されて、前方へ光を照射し得るようＬＥＤ７５を実装したＬＥＤ基板７４が該支持片７１ａに取り付けられている。そして、前記透明部材７２には、前記基部７１の支持片７１ａに対応する位置に切欠部７２ａが形成されて、基部７１の前方開口を透明部材７２における透明平板状の前面部７２ｂで塞ぐよう構成される。また、前記カバー体７３は、略円環状に形成されており、該カバー体７３で前記基部７１の前端部を覆うよう構成されると共に、該カバー体７３の開口内側を前記透明部材７２の前面部７２ｂで覆うよう構成されている。更に、前記カバー体７３には、前記基部７１の支持片７１ａに略整合する形状に形成された被覆片７３ａが開口内側に突出するよう形成されている。ここで、前記被覆片７３ａには、前記支持片７１ａの前面側に取り付けられたＬＥＤ基板７４のＬＥＤ７５と対応する位置にレンズ部７３ｂが形成されて、該ＬＥＤ７５の光を前方へ照射し得るよう構成されている。
【００２５】
そして、前記可動部材７０が初期位置(図６参照)にある状態では、前記連結支持部材６４がスリット４３の上端縁近傍に位置して、可動部材７０の全体が前記ベース部材４１の前側に位置すると共に、可動部材７０が終位置(図７参照)にある状態では、連結支持部材６４がスリット４３の下端縁近傍に位置して、可動部材７０の略全体がベース部材４１の下方まで移動し、前記裏ユニット３５の開口部３５ａから臨む図柄表示装置１７の前側に位置するようになっている。すなわち、前記可動部材７０が終位置にある状態では、前記基部７１の開口後方に前記図柄表示装置１７が臨んで、前記透明部材７２を介して図柄表示装置１７を透視し得るよう構成されている。
【００２６】
また、前記ベース部材４１(前ケース体４２)の前面には、前記枠状装飾体２８に設けられた前記装飾カバー３０の後方位置に、表面にＬＥＤ(発光体)５９を実装したＬＥＤ基板５８が配設される基板ベース６０が取り付けられている。すなわち、前記ＬＥＤ基板５８のＬＥＤ５９からの光が装飾カバー３０に照射されて、該装飾カバー３０が明輝するようになっている。この基板ベース６０は、図５に示すように、前記ＬＥＤ基板５８の取付面６０ａが前記ベース部材４１(前ケース体４２)の前面から一定距離離間するよう構成されており、該基板ベース６０とベース部材４１(前ケース体４２)との間に初期位置にある可動部材７０が収容されるようになっている。すなわち、前記可動部材７０が初期位置にある状態では、前記装飾カバー３０(基板ベース６０)により可動部材７０が覆われて、可動部材７０を前方から視認し得ないようになっている(図２参照)。なお、前記基板ベース６０の前面には、前記ＬＥＤ基板５８を被覆保護する透明な保護カバー６１が配設されている。
【００２７】
図５〜図７に示すように、前記伝達手段５１,５２は、前記後ケース体４７に形成した通孔４７ａに挿通された前記駆動モータ５０の駆動軸５０ａに取り付けられる駆動歯車５１と、前記ベース部材４１に軸部５３を介してベース部材４１(前後のケース体４２,４７)に回転可能に枢支され、駆動歯車５１に噛合する歯車部５２ａを外周面に形成した回転板５２とからなり、駆動モータ５０の駆動により駆動歯車５１を正逆回転させることで、回転板５２が軸部５３を中心に正逆回転されるようになっている。また、前記回転板５２には、前方(軸部５３の延在方向)に突出する連繋突部(第１連繋部)５４が、該回転板５２の回転中心(軸部５３)から変位する位置に形成されている。この連繋突部５４は、前記揺動アーム５６に形成される連繋孔５６ｂに挿入されて、前記回転板５２の回転に伴って連繋突部５４が回転変位されることで揺動アーム５６を揺動するようになっている。
【００２８】
前記揺動アーム５６は、前記収容空間４８の内部に配設された長尺な棒状に形成されて、一方の端部(枢支端部)が軸部５７を介して前記ベース部材４１(前後のケース体４２,４７)に対して枢支されると共に、他方の端部(自由端部)に、該揺動アーム５６の長手方向に沿って延在する係合孔５６ａが前後に開口するよう形成されている。また、前記揺動アーム５６の中間位置には、該揺動アーム５６の長手方向に沿って延在する連繋孔５６ｂが後方に開口するよう形成されている。そして、前記揺動アーム５６の係合孔５６ａには、前述のように、前記連結支持部材６４の係合突部６６ａが前方から挿入されると共に、該揺動アーム５６の連繋孔５６ｂには、前記回転板５２の連繋突部５４が後方から挿入されて、回転板５２の回転に伴って連繋突部５４が移動することで、該揺動アーム５６が軸部５７を中心に揺動されるよう構成されている。すなわち、揺動アーム５６が揺動することで連結支持部材６４がスリット４３に沿って上下移動されて、可動部材７０が初期位置と終位置との間で上下移動されるようになっている。
【００２９】
また、前記回転板５２の外周面には、図５〜図７に示すように、該回転板５２の軸部５３を中心として径方向外方に扇状に延出する位置検出片５２ｂが形成されると共に、前記ベース部材４１の収容空間４８には、該位置検出片５２ｂを検出する位置検出センサ５５が配設されており、該位置検出片５２ｂの回転位置を位置検出センサ５５で検出することで、前記可動部材７０(揺動アーム５６)の初期位置(図６参照)および終位置(図７参照)を識別するようになっている。具体的には、回転板５２の回転に伴って回転する位置検出片５２ｂの回転方向の一方の端部を前記位置検出センサ５５が検出することで可動部材７０(揺動アーム５６)の初期位置が識別され、回転板５２の回転に伴って回転する位置検出片５２ｂの回転方向の他方の端部を位置検出センサ５５が検出することで可動部材７０(揺動アーム５６)の終位置が識別されるよう構成されている(図６または図７参照)。
【００３０】
ここで、前記可動部材７０が初期位置にある状態においては、図８(a)に示すように、前記揺動アーム５６を揺動可能に支持する軸部５７を中心として前記連繋孔５６ｂと連繋突部５４との接触点Ａの回転方向Ｒ１が、前記回転板５２の回転に伴った連繋突部の回転方向Ｒ２に略直交するよう設定されている。換言すると、前記可動部材７０が初期位置にある状態では、前記揺動アーム５６を支持する軸部５７から前記回転板５２を支持する軸部５３までの距離Ｌ１と、該揺動アーム５６の軸部５７から連繋突部５４までの距離Ｌ２とが略一致するよう設定されており、揺動アーム５６に対して直接揺動させる力が作用した場合に、該回転板５２を回転させる方向へ力を作用させないか、あるいは回転板５２を回転させる方向へ作用する力が僅かになるようになっている。すなわち、揺動アーム５６に対して直接揺動させる力が作用した場合には、前記回転板５２が回転されないことで、揺動アーム５６を揺動不能に保持している。従って、前記可動部材７０が初期位置にある状態では、前記駆動モータ５０の駆動または直接的に回転板５２を回転させた場合にのみ揺動アーム５６が揺動されて、可動部材７０を終位置に向けて移動させ得る。
【００３１】
そして、前記可動部材７０が初期位置から終位置までの中間位置にある状態および可動部材が終位置にある状態では、図８(b),(c)に示すように、前記揺動アーム５６を支持する軸部５７から前記回転板５２を支持する軸部５３までの距離Ｌ１よりも、該揺動アーム５６の軸部５７から連繋突部５４までの距離Ｌ２の方が長くなるよう設定されて、揺動アーム５６を直接揺動させる力が作用した場合に、該回転板５２を回転させる方向へ力が作用され、揺動アーム５６が揺動されるようになっている。従って、前記可動部材７０が初期位置から終位置までの中間位置にある状態および可動部材が終位置にある状態では、前記駆動モータ５０の駆動または直接的に回転板５２を回転させた場合に限らず、揺動アーム５６自体を直接揺動させることでも、可動部材７０を初期位置および終位置に向けて移動させ得るようになっている。
【００３２】
また、前記後ケース体４７には、前記回転板５２と対応する位置に、前後に開口する操作窓(開口部)４４が開設されており、該操作窓４４を介して回転板５２を回転操作し得るよう構成されている。従って、前記可動部材７０が初期位置にある状態では、前記操作窓４４を介して回転板５２を回転操作して可動部材７０を初期位置から終位置に向けて移動させることで、揺動アーム５６自体を直接揺動可能となる。すなわち、前記可動部材７０が初期位置にある状態では、前記駆動モータ５０を駆動して前記回転板５２を回転させるか、あるいは操作窓４４を介して回転板５２を回転させることで、揺動アーム５６を直接揺動させ得るようになる。また、前記揺動アーム５６を直接揺動させて可動部材７０を初期位置に向けて移動させると、揺動アーム５６の揺動に伴って、前述のように前記揺動アーム５６の連繋孔５６ｂと前記回転板５２の連繋突部５４との接触点Ａが回転する回転方向Ｒ１が前記回転板５２の回転に伴った連繋突部５４の回転方向Ｒ２に略直交し、可動部材７０を完全には初期位置まで移動させ得なくなる。この場合に、前記操作窓４４を介して回転板５２を回転操作して揺動アーム５６を揺動させることで、可動部材７０が初期位置に完全に移動される。
【００３３】
〔実施例の作用〕
次に、前述のように構成された実施例に係るパチンコ機１０の作用につき説明する。
【００３４】
前記遊技盤２０に設けた内外のレール２２ａ,２２ｂに沿って遊技領域２３に打ち出されたパチンコ球は、遊技盤２０上に設けた遊技釘等に接触して流下方向を変更しながら流下する。そして、前記遊技領域２３を流下するパチンコ球が前記始動入賞装置２４に入賞すると、前記図柄表示装置１７において所要の図柄変動演出が開始され、図柄変動演出の結果、図柄表示装置１７に所定の図柄組み合わせが表示されると大当りが発生する。大当りが発生すると、図柄表示装置１７に表示された図柄組み合わせに応じて、前記遊技盤２０の下方に設けられた特別入賞装置２５が開放されると共に、図柄表示装置１７において大当り演出が行なわれる。
【００３５】
そして、前記図柄表示装置１７で展開される図柄変動演出や大当り演出、小当り演出等に応じて前記裏ユニット３５に配設された前記可動演出装置４０が作動されて可動部材７０の動作による演出が行なわれる。すなわち、前記可動演出装置４０に設けられた駆動モータ５０の駆動に伴って前記回転板５２が回転されると、該回転板５２に設けた連繋突部５４が回転移動する。この連繋突部５４は揺動アーム５６の連繋孔５６ｂに挿入されていることから、連繋突部５４が回転するのに伴って揺動アーム５６が軸部５７を中心に揺動される。ここで、前記揺動アーム５６の自由端部に設けられた係合孔５６ａには、前記可動部材７０に取り付けられた連結支持部材６４の係合突部６６ａが挿入されていることから、該揺動アーム５６の揺動に伴って可動部材７０が初期位置と終位置との間で上下移動される。このように、図柄表示装置１７で展開される演出内容に応じて、駆動モータ５０を駆動して可動部材７０を初期位置および終位置の間で移動することで、可動部材７０の動作による遊技性の多様化を図り、遊技の興趣を高めている。
【００３６】
前述のように、可動演出装置４０を利用した可動部材７０の動作演出を行なう場合には、該可動部材７０を動作させる必要がある一方で、該可動演出装置４０による演出を行なわない場合に可動部材７０が不用意に移動すると、所定の演出が実行し得なくなったり、遊技者に無用な誤解を与えることに繋がることから、可動部材７０を初期位置に保持しておく必要がある。
【００３７】
ここで、実施例では、前記可動部材７０が初期位置にある状態では、前記揺動アーム５６を支持する軸部５７から前記回転板５２を支持する軸部５３までの距離Ｌ１と、該揺動アーム５６の軸部５７から連繋突部５４までの距離Ｌ２とを略一致させて、前記揺動アーム５６の連繋孔５６ｂと回転板５２の連繋突部５４との接触点Ａが前記揺動アーム５６を揺動可能に支持する軸部５７を中心として回転する回転方向Ｒ１が、前記回転板５２の回転に伴った連繋突部５４の回転方向Ｒ２に略直交するよう設定してある。このため、揺動アーム５６の自由端部に支持した可動部材７０の自重や、パチンコ機１０等に作用する振動等により、揺動アーム５６(可動部材７０)を揺動させる力が直接作用したとしても、回転板５２を回転させる方向へ力が作用せず、揺動アーム５６が揺動されることはない。従って、駆動モータ５０を駆動して回転板５２を回転することなく、可動部材７０が自重や振動等により移動するのを防止できる。そして、可動部材７０(揺動アーム５６)を初期位置に移動するだけで保持できるから、可動部材７０(揺動アーム５６)を初期位置に停止保持するための制御負担を軽減し得ると共に、駆動モータ５０の負荷軽減が図られる。また、可動演出装置４０を備えた状態でパチンコ機１０や遊技盤２０を運搬した場合でも、揺動アーム５６が揺動不能に保持されることで運搬時の振動により可動部材７０が上下移動することなく初期位置で保持されるため、可動演出装置４０の損傷を効果的に防止できる。
【００３８】
また、振動等により回転板５２が回転されて前記可動部材７０が初期位置から終位置に向けて移動した場合には、前記揺動アーム５６を支持する軸部５７から前記回転板５２を支持する軸部５３までの距離Ｌ１よりも、該揺動アーム５６の軸部５７から連繋突部５４までの距離Ｌ２の方が長くなることで、揺動アーム５６を直接操作して力を作用させた際に、該回転板５２を回転させる方向へ力が作用されるから、回転板５２を回転して揺動アーム５６を揺動させることができる。すなわち、振動等により前記可動部材７０が初期位置から位置ずれした場合には、作業者が手動で可動部材７０を上方に押し上げるよう操作すれば、揺動アーム５６自体を直接揺動させて可動部材７０を初期位置に向けて移動させ得る。
【００３９】
また、前記可動演出装置４０のベース部材４１には、前記回転板５２と対応する位置に操作窓４４を開設してあるから、該可動演出装置４０の動作確認やメンテナンス作業、その他の点検作業等において、駆動モータ５０を駆動することなく作業者が回転板５２を回転操作するだけで可動部材７０を上下移動させることができる。このとき、前記操作窓４４を介して回転板５２を回転させれば、前記揺動アーム５６を直接揺動させ得るようになるから、前記操作窓４４を介して回転板５２を回転させて可動部材７０を初期位置と終位置との中間位置まで移動させることで、作業者が可動部材７０を終位置に向けて引き下ろすことが可能となる。このため、可動演出装置４０の点検作業等に際しての作業性向上が図られる。同様に、点検後においては、作業者が回転板５２を回転させて可動部材７０を初期位置まで完全に復帰させ得るから、駆動モータ５０の駆動によって回転板５２を回転することなく揺動アーム５６が揺動されるのを防止でき、可動部材７０を初期位置に保持することができる。
【００４０】
〔変更例〕
なお、遊技機の構成としては、実施例のものに限らず、種々の変更が可能である。
(１)  実施例では、回転板に対して連繋突部を形成し、該連繋突部を挿入する連繋孔を揺動アームに設けるよう構成したが、これに限らず、回転板に対して連繋孔を形成すると共に揺動アームに対して連繋孔に挿入可能な連繋突部を形成するようにしてもよい。
(２)実施例では、可動演出装置を裏ユニットの開口部上部に配設するようにしたが、これに限定されるものではなく、開口部の側部や下部に可動演出装置を配設するようにしてもよい。
(３)  実施例では、可動部材を上下方向に移動可能に配設したが、これに限られるものではなく、例えば左右方向に可動部材を移動し得るよう構成してもよく、斜め方向に可動部材が移動するよう構成してもよい。また、可動部材は、直線的に往復移動する構成に限られるものではなく、円弧状に移動したり、所定角度範囲で回転されるよう構成してもよく、揺動アームの揺動に伴って初期位置と終位置との間を往復移動する構成であれば任意に決定し得る。
(４)  実施例では、ベース部材の後ケース体に回転板を直接操作可能とする操作窓を開設するよう構成したが、これに限られるものではなく、前ケース体に操作窓を開設して回転板を直接操作するようにしてもよい。すなわち、回転板を操作可能となる位置であれば、ベース部材の前後面や上下面の何れに形成することもできる。
(５)  実施例では、遊技盤を透明板と裏ユニットとから構成したが、ベニヤ板等により遊技盤を形成してもよい。
(６)  駆動手段の駆動により回転板を回転させる伝達手段としては、実施例に示した歯車機構に限られるものではなく、ベルト機構やリンク機構、その他従来公知の各種機構を採用し得ることは当然である。
(７)  実施例では、遊技機としてパチンコ機を例示して説明したが、これに限られるものではなく、アレンジボール機やピンボール機、スロットマシン機等の各種遊技機を採用し得る。
【符号の説明】
【００４１】
４０  可動演出装置
４１  ベース部材
４４  操作窓(開口部)
５０  駆動モータ(駆動手段)
５２  回転板
５４  連繋突部(第１連繋部)
５６  揺動アーム
５６ｂ  連繋孔(第２連繋部)
７０  可動部材
【図１】
2011015756.tif 000003
【図２】
2011015756.tif 000004
【図３】
2011015756.tif 000005
【図４】
2011015756.tif 000006
【図５】
2011015756.tif 000007
【図６】
2011015756.tif 000008
【図７】
2011015756.tif 000009
【図８】
2011015756.tif 000010